(57)【要約】      （修正有）【課題】Ｉ／Ｏデバイスをスロット内に挿設させないようすることで、電子機器内のデータがスロットを通じて無断で読み取り或いは記録されることを防止する電子機器のスロット内に差し込まむことができるロック装置を提供する。【解決手段】電子機器のロック装置であって、電子機器がその中に複数の端子を有するスロット４０を含み、端子の先端に凸部４２１を各々備える。ロック装置は、前端部１１と、後端部１２と、前記スロット内の複数の端子４２に対応し、且つ、少なくとも１個の係着部１４を設けて複数の端子の凸部に突当たる底部と、を備えたロックユニット１０を含み、ロックユニットは、スロット内に対応するように挿設され、係着部を通じて複数の端子の凸部に突当たることで係合状態を形成することを特徴とする。【選択図】図１０
0003192644.tif 000002
【実用新案登録請求の範囲】
【請求項１】
電子機器のロック装置であって、前記電子機器がその中に複数の端子を有するスロットを含み、前記端子の先端に凸部を各々備え、前記ロック装置は、
前端部と後端部と前記前端部と前記後端部にあり、前記スロット内の複数の端子に対応し、且つ、少なくとも１個の係着部を設けて前記複数の端子の凸部に突当たる底部と、を備えたロックユニットを含み、前記ロックユニットは、前記スロット内に対応するように挿設され、前記係着部を通じて前記複数の端子の凸部に突当たることで係合状態を形成することを特徴とする電子機器のロック装置。
【請求項２】
前記ロックユニット内に収納溝を備え、前当接壁が前記収納溝の前縁部に位置し、前記ロックユニットの後端部に前記収納溝と連通する開口部と前記収納溝内に対応する係合側が設けられ、前記ロックユニットの後端部が前記電子機器のスロットからはみ出すことがないことを特徴とする請求項１に記載のロック装置。
【請求項３】
前記ロックユニットは、下部に突当たる上部を含み、前記収納溝、及び、前記前当接壁が前記上部と前記下部の間にあることを特徴とする請求項２に記載のロック装置。
【請求項４】
前記上部は、前記上部の周縁を取り囲む上接合辺を含み、前記上接合辺が上接合前端部と上方の凹み部を有する上接合後端部を備え、前記下部は前記下部の周縁を取り囲むと共に前記上接合辺に対応する下接合辺を含み、前記下接合辺が前記上接合前端部に対応する下接合前端部と前記上接合後端部に対応する下接合後端部を備え、前記下接合後端部が前記上方の凹み部に対応する下方の凹み部を有し、前記上方の凹み部と前記下方の凹み部で前記開口部の範囲を決定することを特徴とする請求項３に記載のロック装置。
【請求項５】
前記ロックユニットの開口部は操作具の突当たるために用いられ、該操作具は、
筐体と、
前記筐体内に設けられ、頂板と前記頂板の両対向側から下方に向かって延伸し、その上にリミット凸部を設けた側板と前記頂板上に設けられて上方に向かって凸伸する押動ブロックと前記頂板の前側から外方に向かって凸伸し、且つ、第１の凸伸端を有する凸板とを備えた摺動部と、
前記筐体内に設けられ、前記摺動部の下方に位置し、前記摺動部の凸板に対応し、本体から延伸して形成した両対向の延伸アームを備え、両フックは前記両延伸アームの先端に形成され、前記両延伸アームが傾斜辺を形成する両対向側を有する受動部と、
前記筐体内に設けられ、前記筐体から凸伸する第２の凸伸端を備え、前記第２の凸伸端の対向両側に切欠部を各々設け、前記受動部の両延伸アームが延伸して突当たり部内に位置し、且つ、前記両フックが両切欠部に各々対応する突当たり部と、を含み、
前記第２の凸伸端が前記ロックユニットの開口部に対応することで前記ロックユニットにある収納溝内に挿入され、前記突当たり部の切欠部が前記収納溝内に位置し、前記両延伸アームの両対向側の傾斜辺が前記摺動部の凸伸端の押動を受けることで、前記両延伸アーム先端にある前記両フックを前記切欠部から突出させて前記ロックユニットの係合側に掛止することを特徴とする請求項２に記載のロック装置。
【請求項６】
前記筐体は、
貫通孔を備え、前記押動ブロックが前記貫通孔から露出させる上部筐体と、
前記上部筐体に突当たり、中央部を備え、前記中央部内に前記受動部の放置に用いられるプラットフォームを設け、前記中央部の両対向外側に外板が各々設けられ、前記外板と前記中央部の間に前記摺動部の前記両側板に対応する案内路を各々備え、且つ、前記外板は前記側板のリミット凸部に対応する少なくとも１個の定位溝を有する下部筐体と、を含むことを特徴とする請求項５に記載のロック装置。
【請求項７】
前記操作具は、前記筐体を嵌装する保護蓋を更に含むことを特徴とする請求項６に記載のロック装置。
【請求項８】
前記ロックユニットの収納溝内に錠芯部を設け、前記操作具の前記第２の凸伸端に前記錠芯部に合致する先端鍵部を設けることを特徴とする請求項５に記載のロック装置。
【請求項９】
前記錠芯部は、少なくとも１個の凸起部と少なくとも１個の凹溝のうちのいずれかを含み、前記先端鍵部は前記両者に相対する凹凸のいずれかを含むことを特徴とする請求項８に記載のロック装置。
【請求項１０】
前記筐体は、前記中央部の後方に位置し、前記ロックユニットを収納するための収容スペースと前記収容スペースに連通する末端開口部を更に含み、且つ、押動部材が前記収容スペース内に設けられることを特徴とする請求項６に記載のロック装置。
【請求項１１】
前記下部筐体は、側辺と案内板とを含み、前記側辺は複数の定位溝と側辺開口部を設け、前記案内板が間隔を置いて前記側辺と隣り合い、押動部材は前記ロックユニットを挟持するために用いる挟持片と前記案内板に対応する案内部と前記複数の定位溝に対応するリミット凸部と前記側辺開口部から露出する押動凸起と、を備えることを特徴とする請求項１０に記載のロック装置。
【考案の詳細な説明】
【技術分野】
【０００１】
本考案は、ロック装置に関し、特に、電子機器に設けられたスロットに運用するロック装置に関する。
【背景技術】
【０００２】
一般的な電子機器に狭いスロット或いはスロットを設けることで、Ｉ／Ｏデバイスを挿入でき、且つ該Ｉ／Ｏデバイスのプログラム或いは該Ｉ／Ｏデバイスのデータに対してアクセスできる。電力の供給及びリンクするため、スロット内にＩ／Ｏデバイスの端子と接触できる多くの端子が設けられている。しかしながらテクノロジーの急速な発展に伴い人々に利便性をもたらすと同時に多く問題も発生している。例えば、データが卑劣な人々によって盗み取られることがある。このため、Ｉ／Ｏデバイスの差し込みスロットに対し、セキュリティー上の落とし穴を確実に予防する必要性があった。
【考案の概要】
【考案が解決しようとする課題】
【０００３】
本考案の目的は、Ｉ／Ｏデバイスをスロット内に挿設させないようすることで、電子機器内のデータがスロットを通じて無断で読み取り或いは記録されることを防止する電子機器のスロット内に差し込まむことができるロックユニットを提供することである。
【０００４】
本考案の別の目的は、電子機器のスロット内にある複数の端子と突当たらせることにより、該ロックユニットと該複数の端子間に係合作用力を発生させることでロックユニットがみだりに引き抜かれるのを防止する係着部を備えるロックユニットを提供することにある。
【０００５】
本考案の別の目的は、対応する操作具で引き抜くことができ、且つ操作具の先端鍵部と合致することで、いかなる操作具によっても該ロックユニットの操作を防止する錠芯部を備えるロックユニットを提供することにある。
【課題を解決するための手段】
【０００６】
上記目的と他の目的を達成するため、本考案は、電子機器のロック装置を提供する。該電子機器が挿入孔を備えたスロットを含み、該スロット内にはＩ／Ｏデバイスの複数の端子と接触するための複数の端子を有し、これら端子の先端に凸部を各々備える。該ロック装置は、前端部と後端部と該スロット内の複数の端子に対応し、少なくとも１個の係着部を設けて該複数の端子の凸部に突当たる底部とを備えたロックユニットを含む。該ロックユニットは、該スロット内に対応するように挿設され、該係着部を通じて該複数の端子の凸部に突当たることで係合状態を形成し、且つ該係合状態において該スロット内から引き抜くことができる。
【０００７】
一実施形態において、該ロックユニット内に収納溝を備え、前当接壁が該収納溝の前縁部に位置し、該ロックユニットの後端部に該収納溝と連通する開口部と該収納溝内に対応する係合側が設けられ、該ロックユニットの後端部が該電子機器のスロットからはみ出すことがない。
【０００８】
一実施形態において、該ロックユニットは、下部に突当たる上部を含み、該収納溝及び前当接壁が該上部と下部の間にある。
【０００９】
一実施形態において、該上部は、該上部の周縁を取り囲む上接合辺を含み、該上接合辺が上接合前端部と上方の凹み部を有する上接合後端部を備える。該下部は、該下部の周縁を取り囲むと共に該上接合辺に対応する下接合辺を含み、該下接合辺が該上接合前端部に対応する下接合前端部と該上接合後端部に対応する下接合後端部を備え、該下接合後端部が該上方の凹み部に対応する下方の凹み部を有する。該上方の凹み部と該下方の凹み部で該開口部の範囲を決定する。
【００１０】
一実施形態において、該ロックユニットの開口部は操作具の突当たるために用いられる。該操作具は、筐体と、該筐体内に設けられ、頂板と該頂板の両対向側から下方に向かって延伸し、その上にリミット凸部を設けた側板と該頂板上に設けられて上方に向かって凸伸する押動ブロックと該頂板の前側から外方に向かって凸伸し、且つ第１の凸伸端を有する凸板とを備えた摺動部と、該筐体内に設けられ、該摺動部の下方に位置し、該摺動部の凸板に対応し、本体から延伸して形成した両対向の延伸アームを備え、両フックは該両延伸アームの先端に形成され、該両延伸アームが傾斜辺を形成する両対向側を有する受動部と、該筐体内に設けられ、筐体から凸伸する第２の凸伸端を備え、該第２の凸伸端の対向両側に切欠部を各々設け、該受動部の両延伸アームが延伸して突当たり部内に位置し、且つ該両フックが両切欠部に各々対応する突当たり部と、を含む。該第２の凸伸端が該ロックユニットの開口部に対応することでロックユニットにある収納溝内に挿入され、該突当たり部の切欠部が該収納溝内に位置し、該両延伸アームの両対向側の傾斜辺が該摺動部の凸伸端の押動を受けることで、両延伸アーム先端にある該両フックを該切欠部から突出させて該ロックユニットの係合側に掛止する。
【００１１】
一実施形態において、該筐体は、貫通孔を備え、該押動ブロックが該貫通孔から露出させる上部筐体と、該上部筐体に突当たり、中央部を備え、該中央部内に該受動部の放置に用いられるプラットフォームを設け、該中央部の両対向外側に外板が各々設けられ、これら外板と該中央部の間に該摺動部の両側板に対応する案内路を各々備え、且つこれら外板はこれら側板のリミット凸部に対応する少なくとも１個の定位溝を有する下部筐体と、を含む。
【００１２】
一実施形態において、該操作具は、該筐体を嵌装する保護蓋を更に含む。
【００１３】
一実施形態において、該ロックユニットの収納溝内に錠芯部を設け、該操作具の第２の凸伸端に該錠芯部に合致する先端鍵部を設ける。該錠芯部は、少なくとも１個の凸起部と少なくとも１個の凹溝のうちのいずれかを含み、該先端鍵部は前記両者に相対する凹凸のいずれかを含むことができる。
【図面の簡単な説明】
【００１４】
下記図面の目的は、本考案を更に容易に理解してもらうため、本文内にこれら図面を詳細に記述し、また具体的実施例の一部を構成する。本文内の具体的実施例を通じると共に対応する図面を参考にすることで本考案の具体的実施例を詳細に説明し、且つ考案の作用原理を記述するために用いられるものとする。
【図１】本考案のロックユニットの立体図である。
【図２】本考案のロックユニットの側面図である。
【図３】本考案のロックユニットの分解図である。
【図４Ａ】本考案の操作具の立体図である。
【図４Ｂ】操作具の内部エレメントの組立である。
【図５】操作具の組立図である。
【図６Ａ】本操作具の下部筐体の上面図である。
【図６Ｂ】操作具の下部筐体に押動部材を置いた上面図である。
【図６Ｃ】筐体後端部から見た立体図である。
【図７】錠芯部と先端鍵部の別の実施形態を示す図である。
【図８Ａ】操作具がロックユニットに掛止する様子を示した図である。
【図８Ｂ】操作具がロックユニットに掛止していない様子を示した図である。
【図９Ａ】本操作具と保護蓋の分離を示した図である。
【図９Ｂ】本操作具と保護蓋の組立図である。
【図１０】ロックユニットがスロット内において係合状態を示した図である。
【考案を実施するための形態】
【００１５】
本考案の目的、特徴及び効果を十分理解してもらうため、以下に、関連の図面を参照にして本考案の好ましい実施形態を説明する。同じ構成要素は、同じ構成要素符号で説明する。
【００１６】
図１は、本考案のロックユニットの立体図、図２が本考案のロックユニットの側面図、図３が本考案のロックユニット分解図である。図１乃至図３に示されるように、ロックユニット１０は、前端部１１と後端部１２と底部１３とを備え、該底部１３が該前端部１１と後端部１２の間にあることで電子機器のスロット内の複数の端子に対応し、且つ少なくとも１個の係着部１４を設けてることで該複数の端子を係着する（後記に説明）。一実施形態において該係着部１４は、フックであるが、別の実施形態において該係着部１４は係止凹部となる。ロックユニット１０の形状は、該電子機器のスロットによって異なる選択肢があり、カード式或いは薄片式又は薄型ブロック体の形状が好ましい。ロックユニット１０内は、収納溝１５を備え、前当接壁１５１が該収納溝１５の前縁部に位置し、該ロックユニット１０の後端部１２に開口部１６と係合側１７が設けられ、該開口部１６が該収納溝１５に連通し、該係合側１７が該収納溝１５内に対応する。
【００１７】
一実施形態において、ロックユニット１０は、下部１０２に突当たる上部１０１を含む。別の実施形態においてロックユニット１０は、射出成形又は３Ｄ印刷の方式で一体成形の構造を成しえる。前記収納溝１５及び前当接壁１５１は、該上部１０１と下部１０２の間にある。該上部１０１は、該上部１０１の周縁を取り囲む上接合辺１０１１を含む。該上接合辺１０１１は、上接合前端部１０１２と上接合後端部１０１３を備え、該上接合後端部１０１３が上方の凹み部１０１４を有する。該下部１０２は、該下部１０２周縁を取り囲むと共に上接合辺１０１１に対応する下接合辺１０２１を含む。該下接合辺１０２１は、該上接合前端部１０２２に対応する下接合前端部１０１２と該上接合後端部１０１３に対応する下接合後端部１０２３を備える。該下接合後端部１０２３は、該上方の凹み部１０１４に対応する下方の凹み部１０２４を備える。該上方の凹み部１０１４と該下方の凹み部１０２４で該開口部１６の範囲を決定する。
【００１８】
図４Ａは、本考案の操作具の立体図で、図４Ｂが操作具の内部エレメントの組立図で、図５が操作具の組立図で、図６Ａが操作具の下部筐体の上面図で、図６Ｂが操作具の下部筐体に押動部材を置いた上面図で、図６Ｃが筐体後端部から見た立体図である。前記ロックユニット１０の開口部１６は、操作具を突当たらせるため用いられて、該ロックユニット１０を該スロット内に挿し込む又はスロット内から抜き出す操作する。図４Ａ、図４Ｂ、図５及び図６Ａ、図６Ｂ、図６Ｃに示すように、操作具２０は、摺動部２２を収容する筐体２１と、受動部２３と突当たり部２４と押動部材５とを含む。
【００１９】
筐体２１は、貫通孔２１１１を備えた上部筐体２１１と、該上部筐体２１１に突当たり、中央部２１２１を有し、該中央部２１２１の中にプラットフォーム２１２３が設けられ、該中央部２１２１の両対向外側に外板２１２４が各々設けられ、外板２１２４と該中央部２１２１の間に案内路２１２５を各々有し、外板２１２４の上が少なくとも１個の定位溝２１２６を備える下部筐体２１２と、を含む。図面内では２個の定位溝２１２６が表示されている（図６Ａ及び図６Ｂ）。該筐体２１は、該中央部２１２１の後方に位置する収容スペース２５を更に含み、筐体２１の末端において該収容スペース２５に連通する末端開口部２５１が設けられる。前記ロックユニット１０は、使用されていない時、該末端開口部２５１から該収容スペース２５内に収容できる。前記押動部材５が該収容スペース２５内に設けられる。該下部筐体２１２は、側辺２７と案内板２６とを含む。該側辺２７は、複数の定位溝２７１と側辺開口部２７２を設け、該案内板２６が間隔を置いて該側辺２７と隣り合う。摺動部２２は、該下部筐体２１２の中央部２１２１に対応して置かれ、頂板２２１と該頂板２２１の両対向側から下方に向かって延伸し、その上にリミット凸部を設けた側板２２２を備え、押動ブロック２２３が該頂板２２１上に設けられて上方に向かって凸伸し、且つ該上部筐体２１１の貫通孔２１１１から露出し、凸板２２４が該頂板２２１の前側から外方に向かって凸伸し、且つ第１の凸伸端を有し、該両側板２２２の上にリミット凸部２２２１が各々設けられる。該両側板２２２は、該案内路２１２５の中に各々位置し、該摺動部２２が押された時、両側板２２２が該案内路２１２５に沿って動き、側板２２２上のリミット凸部２２２１と該定位溝２１２６が障碍を形成することで、該摺動部２２が所定位置まで押した時にストップする。
【００２０】
受動部２３は、該下部筐体２１２のプラットフォーム２１２３上に設置され、且つ該摺動部２２の下方に位置し、該摺動部２２の凸板２２４に対応し、本体２３１から延伸して形成した両対向の延伸アーム２３２を備え、両フック２３３は該両延伸アーム２３２の先端に形成され、該両延伸アーム２３２が傾斜辺２３２１を形成する両対向側を有する。
【００２１】
突当たり部２４は、該ロックユニット１０の開口部１６に対応するため、筐体２１から凸伸する第２の凸伸端２４１を備え、該第２の凸伸端２４１の対向両側に切欠部２４２を各々設け、該受動部２３の両延伸アーム２３２が延伸して突当たり部２４内に位置し、且つ該両フック２３３が両切欠部２４２に各々対応する。
【００２２】
押動部材５は、該収容スペース２５内に収容されるロックユニット１０（図６Ｃ）を挟持するために用いる挟持片５１と、該案内板２６に対応する案内部５２と、これら複数の定位溝２７１に対応するリミット凸部５３と、該側辺開口部２７２から露出する押動凸起５４と、を備える。押動部材５は、該案内部５２と案内板２６の合致を通じて収容スペース２５内に前後移動でき、また該リミット凸部５３を介して所定位置に定位できる。収容スペース２５からロックユニット１０を取り出す時、押動凸起５４を末端開口部２５１の方向へ押すことにより、該押動部材５が該ロックユニット１０を末端開口部２５１から押し出されることで、ロックユニット１０を取り出すことができる。また、ロックユニット１０を収納する時、ロックユニット１０を末端開口部２５１から収容スペース２５内に挿入し、また末端開口部２５１にある押動部材５の挟持片５１で挟持されてから、押動部材５の後退に伴って元の位置に戻り、ロックユニット１０が収容スペース２５内に収納される。
【００２３】
前述の図面に示すように、該ロックユニット１０の収納溝１５内に錠芯部１８が設けられており、該操作具２０の第２の凸伸端２４１に先端鍵部２４１１が設けられ、各ロックユニット１０の錠芯部１８の数量及び形状や配列は異なり、ロックユニット１０に適する各操作具２０の先端鍵部２４１１が、該ロックユニット１０の錠芯部１８に適合することで、適していない操作具２０が該ロックユニット１０に差し込まれることを防止する。一実施形態において、該錠芯部１８は凸起部で、該先端鍵部２４１１を凹溝とする。別の実施形態では、該錠芯部１８が凹溝で、該先端鍵部２４１１を凸起部とする。また図７に示す別の実施形態において該錠芯部１８は２個の間隔のある凸起部で、該先端鍵部２４１１が２個の間隔を置いて並ぶ凹溝とする。
【００２４】
以下に、本考案のロックユニット１０と操作具２０の突当たり操作を説明する。図８Ａは、操作具２０がロックユニット１０に係止している様子を示した図である。図８Ｂは、操作具２０がロックユニット１０に係止されていない様子を示した図である。図８Ａと図１乃至図６を参照にしながら説明する。操作具２０の突当たり部２４の第２の凸伸端２４１は、ロックユニット１０の開口部１６からロックユニット１０内の収納溝１５に差し込み、該突当たり部２４の切欠部２４２が該収納溝１５内に位置し、ロックユニット１０方向に向かって該摺動部２２の押動ブロック２２３を押すことで該凸板２２４をロックユニット１０方向へ移動させ、凸板２２４の第１の凸伸端２２４１が該両延伸アーム２３２の両対向側の傾斜辺２３２１を押すことで両延伸アーム２３２の先端にある該両フック２３３を該切欠部２４２から突き出させて該ロックユニット１０の係合側１７に掛止する。これを介してロックユニット１０の反対方向に向かって該操作具２０の筐体２１を引張ることで、該ロックユニット１０を移動させる。図１乃至図６を参照しながら、図８Ｂに示すように、該摺動部２２の押動ブロック２２３をロックユニット１０の反対方向に向かって押すと、凸板２２４の第１の凸伸端２２４１が該両延伸アーム２３２の両対向側の傾斜辺２３２１から離れて両延伸アーム２３２を元の位置に戻し、両延伸アーム２３２の先端にある該両フック２３３が切欠部２４２内に引き戻して、操作具２０を該ロックユニット１０から分離できる。
【００２５】
更に、図９Ａ及び図９Ｂに示すように、該操作具２０は、該第２の凸伸端２４１を該保護蓋３０内に収納するため、該筐体２１を嵌装する保護蓋３０を更に含む。
【００２６】
次に、図１０のロックユニット１０が電子機器のスロット４０内に差し込んだ様子を示す図を参照する。該スロット４０は、挿入孔４１を備え、且つＩ／Ｏデバイスの複数の端子と接触する複数の端子４２を有し、これら端子４２の先端が凸部４２１を各々備える。前記Ｉ／Ｏデバイスは、例えはＩＣカード、Ｓｅｃｕｒｅ  Ｄｉｇｉｔａｌカード（ＳＤ）、Ｎｅａｒ  Ｆｉｅｌｄ  Ｃｏｍｍｕｎｉｃａｔｉｏｎカード（ＮＦＣ）、Ｃｏｍｐａｃｔ  Ｆｌａｓｈカード（ＣＦ）、Ｓｍａｒｔ  Ｍｅｄｉａ(登録商標)カード（ＳＭＣ）、Ｍｕｌｔｉ  Ｍｅｄｉａカード（ＭＭＣ）、Ｍｅｍｏｒｙ  ｓｔｉｃｋカード（ＭＳ）であるがこれに限定されない。前述の図８Ａ及び図８Ｂの操作説明を通じて、操作具２０によってロックユニット１０を該挿入孔４１からスロット４０内に挿入し、ロックユニット１０の底部１３が該スロット４０内の複数の端子４２に対応することで、該係着部１４が該複数の端子４２の凸部４２１に突当たらせ、係着部１４と複数の端子４２の凸部４２１間に係着作用力を形成し、ロックユニット１０が該スロット４０内で係合状態を形成させてから該操作具２０を通じて係合状態のロックユニット１０を該スロット４０内から引き抜く。
【００２７】
スロット４０内に差し込んだロックユニット１０の後端部は、該スロット４０の挿入孔４１からはみ出ない。つまりスロット４０内にあるロックユニット１０の後端部１２は、該挿入孔４１に揃え又は挿入孔４１の内側に引っ込むため、ロックユニット１０が勝手にスロット４０内から引き抜かれることを防止する。
【００２８】
上記を取りまとめると、本考案のロックユニットは、電子機器のスロット内に差し込むことができ、ロックユニットの係着部を通じてスロット内の複数の端子に突当たらせることで、該ロックユニットと該複数の端子間に係合作用力が働き、ロックユニットが勝手に引き抜かれることを防止し、且つ集積回路カード或いはメモリーカードをスロット内に差し込むことができず、電子機器内のデータが電子機器を通じてみだりに読み取り或いは記録されることを防止する。且つロックユニットは、対応する操作具でのみ操作でき、各ロックユニットの錠芯部と対応する操作具の先端鍵部が互いに合致することで、適さない操作具で該ロックユニットを操作することを防止する。
【００２９】
考案の詳細な説明の項においてなされた実施例は、あくまでも本考案の技術内容を明らかにするものであって、このような具体例のみに限定されて狭義的に解釈されるべきものではなく、当業者が本考案の精神と範囲内で種々変更、修正、改良等を加えて実施することができるものとする。よって、本考案の保護範囲は、本明細書に添付する実用新案登録請求の範囲で記載されるものを基準とする。
【符号の説明】
【００３０】
１０  ロックユニット
１０１  上部
１０１１  上接合辺
１０１２  上接合前端部
１０１３  上接合後端部
１０１４  上方の凹み部
１０２  下部
１０２１  下接合辺
１０２２  下接合前端部
１０２３  下接合後端部
１０２４  下方の凹み部
１１  前端部
１２  後端部
１３  底部
１４  係着部
１５  収納溝
１５１  前当接壁
１６  開口部
１７  係合側
１８  錠芯部
２０  操作具
２１  筐体
２１１  上部筐体
２１１１  貫通孔
２１２  下部筐体
２１２１  中央部
２１２３  プラットフォーム
２１２４  外板
２１２５  案内路
２１２６  定位溝
２２  摺動部
２２１  頂板
２２２  側板
２２２１  リミット凸部
２２３  押動ブロック
２２４  凸板
２２４１  第１の凸伸端
２３  受動部
２３１  本体
２３２  延伸アーム
２３２１  傾斜辺
２３３  フック
２４  突当たり部
２４１  第２の凸伸端
２４１１  先端鍵部
２４２  切欠部
２５  収容スペース
２５１  末端開口部
２６  案内板
２７  側辺
２７１  定位溝
２７２  側辺開口部
３０  保護蓋
４０  スロット
４１  挿入孔
４２  端子
４２１  凸部
５  押動部材
５１  挟持片
５２  案内部
５３  リミット凸部
５４  押動凸起
【図１】
0003192644.tif 000003
【図２】
0003192644.tif 000004
【図３】
0003192644.tif 000005
【図４Ａ】
0003192644.tif 000006
【図４Ｂ】
0003192644.tif 000007
【図５】
0003192644.tif 000008
【図６Ａ】
0003192644.tif 000009
【図６Ｂ】
0003192644.tif 000010
【図６Ｃ】
0003192644.tif 000011
【図７】
0003192644.tif 000012
【図８Ａ】
0003192644.tif 000013
【図８Ｂ】
0003192644.tif 000014
【図９Ａ】
0003192644.tif 000015
【図９Ｂ】
0003192644.tif 000016
【図１０】
0003192644.tif 000017
【手続補正書】
【提出日】平成26年6月24日(2014.6.24)
【手続補正１】
【補正対象書類名】実用新案登録請求の範囲
【補正対象項目名】全文
【補正方法】変更
【補正の内容】
【実用新案登録請求の範囲】
【請求項１】
電子機器のロック装置であって、前記電子機器がその中に複数の端子を有するスロットを含み、前記端子の先端に凸部を各々備え、前記ロック装置は、
前端部と、後端部と、前記スロット内の複数の端子に対応し、且つ、少なくとも１個の係着部を設けて前記複数の端子の凸部に突当たる底部と、を備えたロックユニットを含み、前記ロックユニットは、前記スロット内に対応するように挿設され、前記係着部を通じて前記複数の端子の凸部に突当たることで係合状態を形成することを特徴とする電子機器のロック装置。
【請求項２】
前記ロックユニット内に収納溝を備え、前当接壁が前記収納溝の前縁部に位置し、前記ロックユニットの後端部に前記収納溝と連通する開口部と前記収納溝内に対応する係合側が設けられ、前記ロックユニットの後端部が前記電子機器のスロットからはみ出すことがないことを特徴とする請求項１に記載のロック装置。
【請求項３】
前記ロックユニットは、下部に突当たる上部を含み、前記収納溝、及び、前記前当接壁が前記上部と前記下部の間にあることを特徴とする請求項２に記載のロック装置。
【請求項４】
前記上部は、前記上部の周縁を取り囲む上接合辺を含み、前記上接合辺が上接合前端部と上方の凹み部を有する上接合後端部を備え、前記下部は前記下部の周縁を取り囲むと共に前記上接合辺に対応する下接合辺を含み、前記下接合辺が前記上接合前端部に対応する下接合前端部と前記上接合後端部に対応する下接合後端部を備え、前記下接合後端部が前記上方の凹み部に対応する下方の凹み部を有し、前記上方の凹み部と前記下方の凹み部で前記開口部の範囲を決定することを特徴とする請求項３に記載のロック装置。
【請求項５】
前記ロックユニットの開口部は操作具が突当たるために用いられ、該操作具は、
筐体と、
前記筐体内に設けられ、頂板と前記頂板の両対向側から下方に向かって延伸し、その上にリミット凸部を設けた側板と前記頂板上に設けられて上方に向かって凸伸する押動ブロックと前記頂板の前側から外方に向かって凸伸し、且つ、第１の凸伸端を有する凸板とを備えた摺動部と、
前記筐体内に設けられ、前記摺動部の下方に位置し、前記摺動部の凸板に対応し、本体から延伸して形成した両対向の延伸アームを備え、両フックは前記両延伸アームの先端に形成され、前記両延伸アームが傾斜辺を形成する両対向側を有する受動部と、
前記筐体内に設けられ、前記筐体から凸伸する第２の凸伸端を備え、前記第２の凸伸端の対向両側に切欠部を各々設け、前記受動部の両延伸アームが延伸して突当たり部内に位置し、且つ、前記両フックが両切欠部に各々対応する突当たり部と、を含み、
前記第２の凸伸端が前記ロックユニットの開口部に対応することで前記ロックユニットにある収納溝内に挿入され、前記突当たり部の切欠部が前記収納溝内に位置し、前記両延伸アームの両対向側の傾斜辺が前記摺動部の第１の凸伸端の押動を受けることで、前記両延伸アーム先端にある前記両フックを前記切欠部から突出させて前記ロックユニットの係合側に掛止することを特徴とする請求項２に記載のロック装置。
【請求項６】
前記筐体は、
貫通孔を備え、前記押動ブロックが前記貫通孔から露出させる上部筐体と、
前記上部筐体に突当たり、中央部を備え、前記中央部内に前記受動部の放置に用いられるプラットフォームを設け、前記中央部の両対向外側に外板が各々設けられ、前記外板と前記中央部の間に前記摺動部の前記両側板に対応する案内路を各々備え、且つ、前記外板は前記側板のリミット凸部に対応する少なくとも１個の定位溝を有する下部筐体と、を含むことを特徴とする請求項５に記載のロック装置。
【請求項７】
前記操作具は、前記筐体を嵌装する保護蓋を更に含むことを特徴とする請求項６に記載のロック装置。
【請求項８】
前記ロックユニットの収納溝内に錠芯部を設け、前記操作具の前記第２の凸伸端に前記錠芯部に合致する先端鍵部を設けることを特徴とする請求項５に記載のロック装置。
【請求項９】
前記錠芯部は、少なくとも１個の凸起部と少なくとも１個の凹溝のうちのいずれかを含み、前記先端鍵部は前記両者に相対する凹凸のいずれかを含むことを特徴とする請求項８に記載のロック装置。
【請求項１０】
前記筐体は、前記中央部の後方に位置し、前記ロックユニットを収納するための収容スペースと前記収容スペースに連通する末端開口部を更に含み、且つ、押動部材が前記収容スペース内に設けられることを特徴とする請求項６に記載のロック装置。
【請求項１１】
前記下部筐体は、側辺と案内板とを含み、前記側辺は複数の定位溝と側辺開口部を設け、前記案内板が間隔を置いて前記側辺と隣り合い、押動部材は前記ロックユニットを挟持するために用いる挟持片と前記案内板に対応する案内部と前記複数の定位溝に対応するリミット凸部と前記側辺開口部から露出する押動凸起と、を備えることを特徴とする請求項１０に記載のロック装置。
【手続補正２】
【補正対象書類名】明細書
【補正対象項目名】００２６
【補正方法】変更
【補正の内容】
【００２６】
次に、図１０のロックユニット１０が電子機器のスロット４０内に差し込んだ様子を示す図を参照する。該スロット４０は、挿入孔４１を備え、且つＩ／Ｏデバイスの複数の端子と接触する複数の端子４２を有し、これら端子４２の先端が凸部４２１を各々備える。前記Ｉ／Ｏデバイスは、例えはＩＣカード、Ｓｅｃｕｒｅ  Ｄｉｇｉｔａｌカード（ＳＤ）、Ｎｅａｒ  Ｆｉｅｌｄ  Ｃｏｍｍｕｎｉｃａｔｉｏｎカード（ＮＦＣ）、Ｃｏｍｐａｃｔ  Ｆｌａｓｈ（登録商標）カード（ＣＦ）、Ｓｍａｒｔ  Ｍｅｄｉａ(登録商標)カード（ＳＭＣ）、Ｍｕｌｔｉ  Ｍｅｄｉａカード（ＭＭＣ）、Ｍｅｍｏｒｙ  ｓｔｉｃｋ（登録商標）カード（ＭＳ）であるがこれに限定されない。前述の図８Ａ及び図８Ｂの操作説明を通じて、操作具２０によってロックユニット１０を該挿入孔４１からスロット４０内に挿入し、ロックユニット１０の底部１３が該スロット４０内の複数の端子４２に対応することで、該係着部１４が該複数の端子４２の凸部４２１に突当たらせ、係着部１４と複数の端子４２の凸部４２１間に係着作用力を形成し、ロックユニット１０が該スロット４０内で係合状態を形成させてから該操作具２０を通じて係合状態のロックユニット１０を該スロット４０内から引き抜く。